(57)【特許請求の範囲】
【請求項１】
ペットの糞を囲む囲み部と、囲み部で把持したペットの糞を収納する収納部と、囲み部を操作する操作部と、傾斜板と、収納部に配されるペットの糞を回収する袋を備え、前記囲み部は、上方が開放されており、前方壁部と左右側壁部とからほぼコ字状に構成され、この囲み部を操作部で操作して、ペットの糞に対して上方から被せるようにして囲み、前記傾斜板に沿って引き上げられて前記収納部内に引き込む構造であり、前記収納部には、前方が接地して斜め上方に向かう角度に取り付けられる前記傾斜板が設けられ、前記傾斜板に形成された穴を介してペットの糞が前記袋に収納されることを特徴とするペットの糞の回収装置。
【請求項２】
前記収納部には、前方が接地して斜め上方に向かう角度に取り付けられる前記傾斜板が設けられ、前記囲み部は、前方壁部と左右側壁部とからほぼコ字状に構成され、このコ字状の囲み部に倣った形で前記収納部の内部空間が形成されていることを特徴とする請求項１記載のペットの糞の回収装置。
【請求項３】
前記傾斜板に筒状穴が形成され、この筒状穴に嵌合する環状部と、環状部と連結される取っ手とを備えた装着具を備え、前記環状部に袋を装着して、前記取っ手を手で把持して、前記筒状穴に前記袋を装着した環状部を嵌合させることを特徴とする請求項１記載のペットの糞の回収装置。
【発明の詳細な説明】
【技術分野】
【０００１】
この発明は、ペットの糞を回収する収納部を備えたペットの糞の回収装置に関する。
【背景技術】
【０００２】
従来、犬などのペットを散歩に連れ出したり、ペットの運動のために外出させるときなどに、袋を携帯してペットの糞を袋で回収するようなことが行なわれているが、これでは手が汚れるなどの理由で、塵取りと箒（ほうき）のようなものを持ち運び、それらでペットの糞を回収することも行なわれていた。
【０００３】
しかし、塵取りと箒を持ち運ぶことは不便なことから、箒と塵取りが一つになったような構造で、片手で操作することが可能なペットの糞の回収装置が開示されている（特許文献１から３）。
【０００４】
また、収納部内に袋が着脱可能に装着されて、袋内にペットの糞を回収するものも開示されている（特許文献４）。ここで、特許文献４は、ペットの糞以外のものにも対応可能と言うものであり、断面Ｌ字状の掻き込みプレートをバネを介した引き動作で、対象物を掻き揚げるようにして収納部に収納する装置である。
【先行技術文献】
【特許文献】
【０００５】
【特許文献１】登録実用新案第３０７２１６０号公報
【特許文献２】実開昭５２−２５９８８号公報
【特許文献３】特開平８−２８９６８９号公報
【特許文献４】実開昭６２−９４７６１号公報
【発明の概要】
【発明が解決しようとする課題】
【０００６】
しかしながら、ペットの糞を回収するに際して、糞の大きさや形や柔らかさがまちまちで、上記掻き込みプレート等で掻き込むように回収しようとすると、うまく回収できない状態が生じ得る。例えば、ペットの糞の高さがやや高いと、掻き込みプレートの天板に接触し、又、長さがながいと、回収部に入りにくくなったりする。このように、従来装置では、ペットの糞の大きさを考慮すると、収納スペースが必要になり大型化するのみならず、その構造が複雑化するという問題を有する。
また、従来例として、ペットの糞を袋詰めするものがあるが、袋の着脱が容易で、かつ、手を汚すことなく回収できるものはなかった。
【０００７】
そこで、本発明の目的は、糞の大きさや形や柔らかさがまちまちでも確実に回収可能にするとともに、構造が比較的簡単で、収納スペースが小型・中型のペットの糞の回収装置であり、ペットの糞を入れる袋の着脱作業容易で手を汚すようなことがないペットの糞の回収装置を提供することにある。
【課題を解決するための手段】
【０００８】
本願発明のペットの糞の回収装置は、ペットの糞を囲む囲み部と、囲み部で把持したペットの糞を収納する収納部と、囲み部を操作する操作部と、傾斜板と、収納部に配されるペットの糞を回収する袋を備え、前記囲み部は、上方が開放されており、前方壁部と左右側壁部とからほぼコ字状に構成され、この囲み部を操作部で操作して、ペットの糞に対して上方から被せるようにして囲み、前記傾斜板に沿って引き上げられて前記収納部内に引き込む構造であり、前記収納部には、前方が接地して斜め上方に向かう角度に取り付けられる前記傾斜板が設けられ、前記傾斜板に形成された穴を介してペットの糞が前記袋に収納されることを特徴とする。
本発明によれば、ペットの糞の位置に、本装置を持って行き、操作部を操作して収納部から囲み部を前方に突出させてから、ペットの糞に対して上方から囲み部を被せるようにする。ここで、ペットの糞が囲み部よりも大きな場合、囲み部でペットの糞を収納部に入る大きさや形状にしてから回収するので、ペットの糞が大きすぎる等の理由で、収納部に回収することができない事態は生じない。すなわち、高さが少し高いものであれば、そのままの状態で収納部内に引き込み、また、糞の幅が長いものであれば、これを所定の大きさに裁断するように囲んでから回収するので、収納部のスペースが大きくならず、囲み部が作動する範囲でペットの糞を回収する。上記囲み部は、上方が開放されているので、高さのまちまちな動物の糞に対応して回収することが出来る。
【０００９】
本発明は、前記収納部には、前方が接地して斜め上方に向かう角度に取り付けられる前記傾斜板が設けられ、前記囲み部は、前方壁部と左右側壁部とからほぼコ字状に構成され、このコ字状の囲み部に倣った形で前記収納部の内部空間が形成されていることを特徴とする。
ここで、上記筒状穴に嵌合する環状部と、環状部と連結される取っ手とを備え、上記環状部に袋を装着して、上記取っ手を手で把持して、前記筒状穴に袋を装着した環状部を嵌合させて、ペットの糞を回収した後は、上記取っ手を把持して、筒状穴から除去すれば、操作し易く、かつ、手を汚すことなく、袋の着脱をすることができる。なお、筒状穴に袋の開口部をゴムや紐で縛りつけることも可能である。そして、前記囲み部でペットの糞を傾斜板に沿って引き上げて、傾斜板の筒状穴の位置まで送り込むことで、筒状穴からペットの糞を袋詰めできる。
【００１０】
本発明としては、前記囲み部の左右側壁部にネジが設けられ、前記収納部の左右側に、前記ネジを通すガイド穴が形成され、このガイド穴は前記傾斜板に沿うように形成され、前記囲み部がネジを介してガイド穴に沿って駆動することが好ましい。
本発明によれば、前記囲み部をガイド穴に沿って駆動させることができ、その方向性の調整も容易に調整できる。ガイド穴は、前記傾斜板に沿うように形成されているので、ペットの糞を傾斜板に沿って確実に引き上げる。
【００１１】
本発明としては、前記ガイド穴と傾斜板との角度を調整することで、前記囲み部の前方へ突出する高さや突出量を調整することが好ましい。
ここで、前記ガイド穴がその前方に行くに従って斜め上方に向かって形成された後、下方に向かうガイド穴を形成しても良く、又、収納部の前方開放部に前記ネジが飛び出した状態になるものでも良い。このようにしてすると、前記囲み部は、一端上方に向かった後、下方に向かい、ペットの糞を上方から被せるように駆動する。このように、前記ガイド穴と傾斜板との角度を調整することで、前記囲み部の前方へ突出する高さや突出量を調整することができる。
【発明の効果】
【００１２】
本発明によれば、ペットの糞の位置に、本装置を持って行き、操作部を操作して収納部から囲み部を前方に突出させてから、ペットの糞を上方から被せるように囲み部で囲み、所定の大きさにして、そのままの状態で収納部内に引き込むので、収納部のスペースが大きくならず、囲み部が作動する範囲でペットの糞を回収する。また、囲み部により糞を取ると、傾斜板に沿って引き上げられて、傾斜板の穴から袋に入れられて袋詰めされるが、前記ガイド穴と傾斜板との角度を調整することで、前記囲み部の前方へ突出する高さや突出量を調整することが可能である。さらに前記傾斜板に形成されたに嵌合する環状部と、環状部と連結される取っ手とを備えた装着具を使用すれば、袋の着脱が容易であるばかりか、ペットの糞を袋詰めした後、これを回収するときにも、上記取っ手を手で操作可能であり、手を汚すようなこともない。
【図面の簡単な説明】
【００１３】
【図１】本発明の第１の実施の形態のペットの糞の回収装置を示す正面図である。
【図２】上記一実施の形態のペットの糞の回収装置を示す背面図である。
【図３】上記第１の実施の形態のペットの糞の回収装置の側面図である。
【図４】上記第１の実施の形態のペットの糞の回収装置の側面図である。
【図５】上記第１の実施の形態を小型化したペットの糞の回収装置を示す側面図である。
【図６】上記第１の実施の形態を小型化したペットの糞の回収装置を示す側面図である。
【図７】上記第１の実施の形態の内部構造を示す図であり、（ａ）は囲み部が引き込まれた状態の断面図であり、（ｂ）は囲み部が引き出された状態の断面図であり、（ｃ）は筒状穴の他の例を示す断面図である。
【図８】上記第１の実施の形態の囲み部の構造を示す斜視図である。
【図９】本発明の第２の実施の形態のペットの糞の回収装置を示す図であり、（ａ）はその断面図であり、（ｂ）はガイド穴の他の例を示す図である。
【図１０】上記第２の実施の形態の断面図である。
【図１１】上記各実施の形態の傾斜板の筒状穴に袋を装着する装着具を示す斜視図である。
【図１２】上記各実施の形態の傾斜板の筒状穴に袋を装着する状態を説明する斜視図である。
【発明を実施するための形態】
【００１４】
以下、本発明の一実施の形態を図面に基づいて説明する。
（第１の実施の形態）
本実施の形態のペットの糞の回収装置Ｚ１は、収納部Ａと操作部Ｂとからなり、収納部Ａには、囲い部７が収納されると共に、糞を回収する袋１０が収納されている。操作部Ｂは、グリップ１を片手で操作できる構造である。
操作部Ｂは、グリップ１の下方に連結される円筒軸２と、円筒軸２の外周に配される弾性部材であるスプリングバネ４と、これらの外周を覆うカバー３を備える。円筒軸２には、収納部Ａ内で駆動する囲み部７と連結する連結金具８と連結されている。スプリングバネ４は、その一方の上端部がカバー３の位置において円筒軸２の周りに巻き回されている。なお、スプリングバネ４は、その一方の上端部が符号１７のカバー３の上端部に係止され、下端が収納部Ａの近傍位置で係止されているものでも良い。
【００１５】
収納部Ａは、ドーム型を呈して、その前方と後方に開口Ａｋ，Ａｈが設けられて開放されている。前方の開口Ａｋは、囲み部７を出し入れするためのものであり、後方の開口Ａｈは、袋１０を出し入れするためのものであり、収納部Ａは、その前方と後方に開口が設けられて開放されている。筒状の収納部Ａは、合成樹脂性であり、その上方を足で踏みつけるも良い頑丈なものである。ドーム型の収納部Ａの上方には、足を掛けることができる。収納部Ａの内部は、底部Ａｔを有する長方形状の空間が形成され、天板部がドームのように形成されている。
収納部Ａには、前方が設地して斜め角度に取り付けられる傾斜板Ａｓが設けられ、その下方側に袋１０が収納可能になっている。傾斜板Ａｓのほぼ中央には筒状穴Ａｂが形成され、この穴Ａｂを介してペットの糞が袋１０に収納される。袋１０は、筒状部Ａに袋１０の開口部Ａｋをゴムや紐で縛りつけることも可能であるが、手を汚さないようにするためには、装着具１２を使用するとよい（図１１，図１２）。傾斜板Ａｓの前には、前方の開口Ａｋを利用して、広幅にできるスカート部Ａｚが設けられている。
装着具１２は、筒状穴Ａｂに嵌合する環状部１２ａと、環状部１２ａと連結部１２ｃを介して連結される取っ手１２ｂとを備え、上記環状部１２ａに袋１０を装着して、上記取っ手１２ｂを手で把持して、筒状穴Ａｂに袋１０を装着した環状部１２ａを嵌合させて、ペットの糞を回収した後は、上記取っ手１２ｂを把持して、筒状穴Ａｂから除去すれば、操作し易く、かつ、手を汚すことなく、袋１０の着脱をすることができる。本実施の形態の筒状穴Ａｂは、長方形状であるが、円形等でもよく、その形状を問わない。本実施の形態のペットの糞の回収装置Ｚ１は、ペットの糞が入った袋１０等を手で持たずに、回収可能である。
そして、囲み部７でペットの糞を傾斜板Ａｓに沿って引き上げて、傾斜板Ａｓの穴Ａｂに送り込むことで、ペットの糞を袋詰めする袋１０が配される（図７（ａ）（ｂ））。傾斜板Ａｓには、水抜き穴を形成しておくことが好ましく、又、その水分を貯留できるようにしておくことも可能である。柔らかいペットの糞に対応するためである。また、筒状穴Ａｂに対する袋の着脱方法としては、図７（ｃ）に示すように、筒状穴Ａｂを弾力性のある「く」の字状の部材Ａｄで構成して、その間に口金ｋが入った袋１０を装着させることも可能である。また、収納部Ａの側壁には、ガイド穴９が形成されている。このガイド穴９は、囲み部７の軸部材５ｂを通す穴であり、軸部材５ｂは、このガイド穴９に沿って摺動することで、囲み部７の前後動作を確実に行なわせる。本実施の形態のガイド穴９は、傾斜板Ａｓの傾斜角度と同じ傾斜角度で収納部Ａに形成されている。ガイド穴９としては、これを収納部Ａの側壁に複数形成して、軸部材５ｂからその両端のネジ５ａを外して、他のガイド穴９に取り付け、前記囲み部７の高さ位置を調整することが可能である。
【００１６】
操作部Ｂは、上方のグリップ１の下方のカバー３の内側にスプリングバネ６を設けて、下部に継手の連動金具８を付け、囲み部７と連結されている。したがって、グリップ１を押すと、円筒軸２がスプリングバネ４に抗して囲み部７を前方に押し出すが、押し出した後はスプリングバネ４が作用して自動的にグリップの元の位置に戻す。
【００１７】
囲い部７は、ペットの糞を上方から被せるように囲んで、収納部Ａに回収するものであり、上方が開放されたペットの糞よりも前に位置させて、収納部Ａ内に引き込むか、又は、ペットの糞に対して上方から被せるようにして囲み、収納部Ａ内に引き込む（図７（ａ）（ｂ））。囲み部７は、コ字状を呈して、収納部Ａに対応する形状に構成されている。囲み部７は、前壁部７ａと側壁部７ｂとから構成され、ほぼコ字状を呈する。このコ字状の囲み部７に倣った形で収納部Ａの内部空間が形成されている。囲み部７の前壁部７ａと左右側壁部７ｂの下方側が先鋭になっており、ペット（動物）の糞が大きな場合は、それを所定の大きさにカットする。
囲み部７の基端部には、連結金具８を付け、囲み部７を移動可能なガイド穴９にネジ５ａを設けた（図８）。すなわち、囲み部７に設けたネジ５ａがガイド穴９に沿って収納部Ａ内を前方に移動するようになっている。収納部Ａの側面部に形成されたガイド穴９に沿ってネジ５ａを介して、囲み部材７を前後動作させる。本実施の形態のガイド穴９は、傾斜板Ａｓに沿って形成されている。すなわち、傾斜板Ａｓの角度と平行に前方に向かって斜め下方に傾斜している。したがって、限られた空間の収納部Ａは、傾斜板Ａｓで仕切られるようにして、上方側は囲み部７の移動を許容する構造になっており、傾斜板Ａｓの下方側が袋１０を収納して、収納部Ａ内を効率的に使用して、かつ、囲み部７の移動と、袋１０の収納と取り出しを効率的に行なうように工夫されている。そして、グリップ１を下方に押し出すと、カバー３内のスプリングバネ４が圧縮されながら、連動金具８がガイド穴９に沿って稼動すると共に、囲み部７が傾斜板Ａｓに沿って駆動する。連結金具８は、囲み部７と円筒軸２とを連結する部材であり、金属製の屈曲性に富む部材により構成され、その先端側がコ字状に構成されて、屈曲姿勢での安定動作が可能になっている。なお、この連結金具８に、上記ネジ５ｂや軸部材５ｂを取り付けることも可能である。
【００１８】
ここで、前記ガイド穴９と傾斜板Ａｓとの関係を調整することにより、囲み部７の開口部からの突出する角度や突出量を調整可能である。例えば、前記ガイド穴９を地面に対して水平にすると、囲み部７は、地面に対して浮かせたような状態になり、他方、地面への囲み部７の設置を確実にするために、前方に傾く傾斜角度を更に大きくすればよい。
また、傾斜板Ａｓの傾斜角度との関係で、斜め上方に向かうに従って互いの角度を小さく（狭める）するようにすると、ペットの糞が斜め上方に向かうに従って狭められて、水分が除去されたり、所定の圧縮した状態にして、筒状穴Ａｂを介して収納させることができる。
【００１９】
ペットの糞の回収装置Ｚ１の使用態様としては、袋１０を装着具１２である筒状穴Ａｂにセットする。セットの仕方は、装着具１２を使用し、上記環状部１２ａに袋１０を装着して、上記取っ手１２ｂを手で把持して、筒状穴Ａｂに袋１０を装着した環状部１２ａを嵌合させる。
そして、ペットの糞の回収装置Ｚ１を持って行き、操作部Ｂを操作して収納部Ａから囲み部７を前方に突出させてから、ペットの糞を上方から被せるようにする。
すなわち、グリップ１を押し下げると、円筒軸２がスプリングバネ４に抗して囲み部７を前方に押し出すことから、ペットの糞を上方から被せるように囲み、押し出した後はスプリングバネ４が作用して自動的にグリップ１の元の位置に戻す。グリップ１を押すと、囲み部７に設けたネジ５がガイド穴９に沿って収納部Ａ内を前方に移動する。
囲み部７でペットの糞を囲むことが出来る場合は、付勢力に抗した戻り動作により、ペットの糞は、収納部Ａに引っ張られて行き、収納部Ａに入ると、傾斜板Ａｓに沿って引き上げて、傾斜板Ａｓの筒状穴Ａｂの位置まで送り込むことで、筒状穴Ａｂからペットの糞を袋詰めできる。このように、囲み部７の引き戻し操作のときに、弾性部材４の付勢力が働くようにしている。
【００２０】
ここで、ペットの糞の大きさが大きな場合は、ペットの糞に対して上方から被せるようにして囲み、前壁部７ａ，側壁部７ｂの下方側が先鋭部で所定の大きさに切断する。このとき、ペットの糞の高さが囲む部７よりも高くとも、その上方が開口されているので、高さ方向はそれほど気にする必要は無い。なお、これら操作部Ｂで操作する時に、収納部Ａに足を掛けて、収納部Ａを動かないようにして操作することが可能である。
そして、操作部Ｂを操作して、囲み部７を収納部Ａから出し入れする。すなわち、グリップ１を押し下げると、ガイド穴９に対してネジ５ｂを介して囲み部７を収納部Ａから前方に押し出すようにすると、本実施の形態では、囲み部７を移動可能なガイド穴９がやや前方に向かってやや斜め上方に向くように形成されているので、囲み部７のネジ５ｂを介して、囲み部７は斜め上方に持ち上げられるようにした後、ペットの糞の上方から覆うようにして下降する。このとき、前方に移動して前方の開口から出ると、規制する部材が無いので、上方に持ち上がるようになった後に設地する。その結果、ペットの糞を囲むように地面に降りる。このとき、ペットの糞の大きさによっては、所定の大きさに切断する。その所定大きさは、収納部Ａに収納可能な大きさである。よって、収納部Ａの開口Ａｋが詰まるようなことがない。
本実施の形態としては、円筒軸３の上部にグリップ１とロックボタンを設けることが可能である。ロックボタンのカバー３内側にスプリングバネ４を設けられている。したがって、スプリングバネ４の働きで半自動で元の位置でロックされる構造にすることができる。ロックボタンでロックを解除してグリップ１を下方に押し出すと、囲み部７が前方に出て、糞を内側に入れてグリップ１を軽く手を添えると、スプリングバネ４の働きで半自動で元の位置でロックされる。
なお、図５と図６は、上記実施形態を小型化した装置Ｚ２を示す側面図であり、図５は、囲み部７を収納部Ａに収納した状態であり、図６は、囲み部７を収納部Ａから前方に突出に収納した状態である。
【００２１】
（第２の実施の形態）
また、本発明としては、図９（ａ）と図１０に示すように、傾斜板Ａｓの左右両側に囲み部７の左右側壁板７ｂと接触する台Ａｄを配置することで、上記傾斜板Ａｓの左右の台Ａｄの上に、囲み部７の側壁部７ｂを乗せるようにして駆動させることとすると、台Ａｄの高さの分だけ高くなり、上方から囲むようにしてペットの糞を囲むこととなる。すなわち、本装置を地面に設置させて使用した場合において、前記実施形態の場合よりも、高い位置から囲み部７を開口Ａｋから突出動作させて、さらに、前記ガイド穴９に対するネジ５ａとの関係を調整することで、ペットの糞をその上方から囲むように、一端上昇させてから下降するようにして駆動させることができる。
また、囲み部７の前壁部７ａと左右側壁部７ｂは、ゴム製で、コーナー部が厚く形成されている。これは、主に柔らかいペットの糞に対応させるために好適なためである。
なお、本装置Ｚ１では、操作部Ｂのグリップ１部分を手で持ちながら操作し、小型の装置Ｚ２では、グリップ１に取り付けた輪っかに手を通して、ペットの糞の位置まで運び、ペットの糞に対して、突出させた囲み部７を上方から被せるようにするので、地面に対して収納部Ａの開口Ａｋを調整可能である。そして、位置がずれるような場合は、収納部Ａの上方部分に足を掛けてその角度を維持するようにしても良い。
ここで、図９（ｂ）は、ガイド穴９の他の例を示す。このガイド穴９は、２本の円弧状にガイド穴が形成され、前記軸部材５ｂとネジ５ａが往復動作でそのルートを変更できるようになっている。これにより、囲み部７を一旦浮かせるようにした後、地面に設置するようにしたり、又、囲み部７を引き戻すときに地面に設置する力を及ぼしながら引き戻し操作することができる。そして、ペットの糞よりも前に位置させることができれば、後は、引き戻す動作で、囲み部７で囲んだペットの糞を収納部Ａ内に引き込むことができる。
【００２２】
以上、本発明を適用した実施形態について説明したが、本発明としては、グリップ１の押し下げ動作が働かないようにロック手段を設けたり、また、ロック手段としては、カバー３と円筒軸２との関係で、互いに係止する部材を設けたり、円筒軸２の動きを規制する部材を設けるなどして、これにより本実施の形態のペットの糞の回収具を杖（ステッキ）代わりに使用することも可能である。また、本実施の形態では、収納部Ａの底部Ａｔを備えるもので説明したが、この底部Ａｔは必ずしも必要なく、これにより構造を簡素化することができる。このように、本発明は上記実施形態に限定されるものでないことは言うまでもない。
【符号の説明】
【００２３】
Ｚ１，Ｚ２   ペットの糞の回収装置、
１           グリップ、
２           円筒軸、
３           カバー、
４           スプリングバネ（弾性部材）、
５ａ         ネジ，  ５ｂ 軸部材、
９           ガイド穴、
７           囲み部、７ａ   前壁部、７ｂ   左右側壁部、
８           連動金具、
１０         袋、
１２         装着具、１２ａ   環状部、１２ｂ   取っ手、１２ｃ   連結部、
Ａ           収納部、Ａｂ   穴（筒状穴）、Ａｚ   スカート部、
Ａｋ，Ａｈ   開口、 Ａｓ 傾斜板、Ａｄ 台、Ａｔ 底部、
Ｂ           操作部
【図１】
0005809466.tif 000002
【図２】
0005809466.tif 000003
【図３】
0005809466.tif 000004
【図４】
0005809466.tif 000005
【図５】
0005809466.tif 000006
【図６】
0005809466.tif 000007
【図７】
0005809466.tif 000008
【図８】
0005809466.tif 000009
【図９】
0005809466.tif 000010
【図１０】
0005809466.tif 000011
【図１１】
0005809466.tif 000012
【図１２】
0005809466.tif 000013